(57)【要約】【課題】  キャッチャーおよびキャッチャーシャンクを一体成形したキャッチャー部品に、ブライドルテープを容易にしっかりと取り付けられるブライドルテープの取付構造を提供する。【解決手段】  キャッチャーシャンク２６と、その前端部に設けられたキャッチャー２７とを一体成形したキャッチャー部品８にブライドルテープ３６を取り付けるブライドルテープ３６の取付構造であって、キャッチャー２７の背面には、ブライドルテープ挿入穴３３が形成され、キャッチャー２７の上面または下面には、ブライドルテープ挿入穴３３に連通する取付部材挿入穴３４が形成されており、取付部材挿入穴３４に嵌め込まれるとともに、ブライドルテープ挿入穴３３に挿入されたブライドルテープ３６の一端部を、取付部材挿入穴３４の底面３４ａとの間で挟持することによって、キャッチャー部品８に取り付ける取付部材３７を備える。【選択図】  図３
2007218958.tif 000002
【特許請求の範囲】
【請求項１】
押鍵に伴って回動するバットから前方に突出するキャッチャーシャンクと、当該キャッチャーシャンクの前端部に設けられたキャッチャーとを一体成形したキャッチャー部品にブライドルテープを取り付けるアップライトピアノのブライドルテープの取付構造であって、
前記キャッチャーの背面には、ブライドルテープ挿入穴が形成され、前記キャッチャーの上面および下面の一方には、前記ブライドルテープ挿入穴に連通する取付部材挿入穴が形成されており、
前記取付部材挿入穴に嵌め込まれるとともに、前記ブライドルテープ挿入穴に挿入された前記ブライドルテープの一端部を、前記取付部材挿入穴の底面との間で挟持することによって、前記キャッチャー部品に取り付ける取付部材を備えていることを特徴とするアップライトピアノのブライドルテープの取付構造。
【請求項２】
前記バットは、押鍵に伴い、ジャックで突き上げられることにより回動し、その回動の途中で当該ジャックが離脱するように構成されており、
前記取付部材は、前記キャッチャー部品よりも大きな比重を有する金属および合成樹脂の少なくとも一方で構成されていることを特徴とする、請求項１に記載のアップライトピアノのブライドルテープの取付構造。
【発明の詳細な説明】
【技術分野】
【０００１】
本発明は、アップライトピアノのアクションに設けられ、離鍵時にハンマーを引き戻すのに用いられるブライドルテープを、キャッチャーシャンクおよびキャッチャーを一体成形したキャッチャー部品に取り付けるアップライトピアノのブライドルテープの取付構造に関する。
【背景技術】
【０００２】
図５は、従来一般のブライドルテープの取付構造を用いたアップライトピアノのアクションを、一部省略して示している。このアクション６１は、鍵６２の押鍵に伴って回動するバット６３と、その前方に突出するように取り付けられたキャッチャーシャンク６４と、キャッチャーシャンク６４の前端部に取り付けられたキャッチャー６５を有しており、キャッチャーシャンク６４とキャッチャー６５の間には、ブライドルテープ６６が取り付けられている。
【０００３】
このブライドルテープ６６は、鍵６２の押鍵に伴いウィッペン６７およびジャック６８を介して反時計回りに回動するハンマー６９を、弦Ｓの打弦後に引き戻すためのものであり、従来一般、図６に示すように取り付けられている。すなわち、ブライドルテープ６６は、その一端部がキャッチャー６５の背面に形成された穴７１に挿入されており、この穴７１に嵌め込まれたキャッチャーシャンク６４と、穴７１の底面７１ａおよび内周面７１ｂとの間に挟持され、接着されることによって、キャッチャー６５に取り付けられている。このような取付構造により、ブライドルテープ６６をキャッチャー６５にしっかりと安定して取り付けることができ、ブライドルテープ６６は、それが切れない限り、キャッチャー６５から外れることがない。また、ブライドルテープ６６の他端部は、ウィッペン６７に立設されたブライドルワイヤー７２に取り付けられており、ブライドルワイヤー７２側において、ブライドルテープ６６の取付位置を調整することによって、ブライドルテープ６６による引き戻し力が調整される。
【０００４】
しかし、上記のアクション６１では、バット６３、キャッチャーシャンク６４およびキャッチャー６５が別個に構成されているため、これらを組み立てる作業が必要であり、部品点数および組立工数が多く、その分、製造コストが増大してしまう。
【０００５】
このような不具合を解消するため、バット、キャッチャーシャンクおよびキャッチャーを一体成形したアクションが、例えば特許文献１に開示されている。このアクションでは、センターブロックと、バット、キャッチャーシャンクおよびキャッチャーなどで構成されるハンマー系部と、ウィッペンやバックチェックなどで構成されるウィッペン系部と、センターブロックとハンマー系部およびウィッペン系部をそれぞれ連結する連結部とが、一体成形されている。ハンマー系部には、ハンマーが取り付けられている。各連結部は薄い可撓性のものであり、鍵が押鍵されると、各連結部が撓むことにより、ウィッペン系部およびハンマー系部が回動し、ハンマーが弦を打弦する。その後、鍵が離鍵されると、センターブロックとウィッペン系部の間の連結部が押鍵時とは逆方向に回動することによって、ハンマー系部は、離鍵位置まで引き戻される。
【０００６】
しかし、このアクションでは、センターブロックとウィッペン系部の間の連結部が、離鍵時にハンマーを引き戻すというブライドルテープと同様の役割を果たすものの、連結部がセンターブロックなどと一体成形されているので、引き戻し力の調整が難しいという問題がある。また、ブライドルテープを取り付けようとしても、バット、キャッチャーシャンクおよびキャッチャーが一体成形されているため、前述したような従来の取付構造を採用できず、例えばキャッチャーなどに接着によってブライドルテープを取り付けざるを得ず、ブライドルテープをキャッチャーにしっかりと取り付けることができない。
【０００７】
本発明は、キャッチャーおよびキャッチャーシャンクを一体成形したキャッチャー部品に、ブライドルテープを容易にしっかりと取り付けることができるアップライトピアノのブライドルテープの取付構造を提供することを目的とする。
【０００８】
【特許文献１】特開平１０−１６１６４１号公報
【発明の開示】
【課題を解決するための手段】
【０００９】
この目的を達成するため、請求項１に係る発明は、押鍵に伴って回動するバットから前方に突出するキャッチャーシャンクと、キャッチャーシャンクの前端部に設けられたキャッチャーとを一体成形したキャッチャー部品にブライドルテープを取り付けるアップライトピアノのブライドルテープの取付構造であって、キャッチャーの背面には、ブライドルテープ挿入穴が形成され、キャッチャーの上面および下面の一方には、ブライドルテープ挿入穴に連通する取付部材挿入穴が形成されており、取付部材挿入穴に嵌め込まれるとともに、ブライドルテープ挿入穴に挿入されたブライドルテープの一端部を、取付部材挿入穴の底面との間で挟持することによって、キャッチャー部品に取り付ける取付部材を備えていることを特徴とする。
【００１０】
このアップライトピアノのブライドルテープの取付構造によれば、ブライドルテープの一端部を、キャッチャーおよびキャッチャーシャンクを一体成形したキャッチャー部品のキャッチャーの背面のブライドルテープ挿入穴に挿入し、取付部材を、キャッチャーの上面または下面に形成された取付部材挿入穴に嵌め込み、嵌め込まれた取付部材と取付部材挿入穴の底面との間でブライドルテープの一端部を挟持することによって、ブライドルテープがキャッチャー部品に取り付けられている。このように、ブライドルテープの一端部を取付部材とキャッチャーの取付部材挿入穴の底面との間で挟持するので、ブライドルテープをキャッチャー部品にしっかりと取り付けることができる。したがって、ブライドルテープがキャッチャー部品に対してずれたり、外れたりするのを、防止することができる。
【００１１】
また、ブライドルテープをブライドルテープ挿入穴に挿入し、取付部材を取付部材挿入穴に嵌め込むだけで、ブライドルテープをキャッチャー部品に取り付けることができるので、その取付作業が容易である。
【００１２】
請求項２に係る発明は、請求項１に記載のアップライトピアノのブライドルテープの取付構造において、バットは、押鍵に伴い、ジャックで突き上げられることにより回動し、その回動の途中でジャックが離脱するように構成されており、取付部材は、キャッチャー部品よりも大きな比重を有する金属および合成樹脂の少なくとも一方で構成されていることを特徴とする。
【００１３】
この構成によれば、取付部材がキャッチャー部品よりも大きな比重を有する金属および合成樹脂の少なくとも一方で構成されているため、取付部材を錘として兼用することができる。これにより、バットの前方に位置するキャッチャー部品に取付部材の重さが付与され、バットの回動支点回りのモーメントが増大するので、バットの回動の途中でジャックが離脱する際のレットオフ荷重が増大することによって、レットオフ感を向上させることができる。また、錘を取り付けるための別個のスペースが不要であるので、アクションをコンパクトに構成することができる。
【発明を実施するための最良の形態】
【００１４】
以下、本発明の好ましい実施形態を、図面を参照しながら、詳細に説明する。図１は、本発明のブライドルテープの取付構造を適用したアップライトピアノのアクション１、ハンマー２および鍵盤３などを、離鍵状態において示している。なお、以下の説明では、演奏者側から見たときのアップライトピアノの手前側を「前」、奥側を「後」として説明する。鍵盤３は、左右方向に並んだ多数の鍵４（１つのみ図示）によって構成されている。各鍵４は、前後方向（図１の左右方向）の中央において、筬５に立設されたバランスピン５ａに回動自在に支持されている。
【００１５】
アクション１は、鍵盤３の後端部の上方において、筬５の左右端部にそれぞれ設けられたブラケット（図示せず）に取り付けられ、両ブラケットの間に設けられている。アクション１は、ウィッペン６、ジャック７およびハンマー支持体８（キャッチャー部品）などを有しており、これらは、鍵４ごとに設けられている（いずれも１つのみ図示）。左右のブラケットの間には、センターレール１１およびハンマーレール１２などが渡されており、このセンターレール１１に、ウィッペンフレンジ１３およびバットフレンジ１４が鍵４ごとにねじ止めされている（ともに１つのみ図示）。
【００１６】
ウィッペン６は、前後方向に延びており、その後端部において、センターレール１１にねじ止めされたウィッペンフレンジ１３の下端部に、ピン状の支点６ａを介して回動自在に支持されている。また、ウィッペン６は、その前部から下方に突出するヒール部６ｂを有していて、対応する鍵４の上面後端部に設けられたキャプスタンボタン４ａに、ヒール部６ｂを介して載置されている。また、ウィッペン６の上面前端部には、バックチェックワイヤー１５およびブライドルワイヤー１６が前後方向に並ぶように立設されている。バックチェックワイヤー１５の先端部には、バックチェック１７が取り付けられており、ブライドルワイヤー１６の先端部には、後述するブライドルテープ３６が取り付けられている。
【００１７】
ジャック７は、前後方向に延びる基部７ａと、基部７ａの後端部から上方に延びるバット突上げ部７ｂを有している。このジャック７は、その基部７ａとバット突上げ部７ｂとの角部において、ウィッペン６のバックチェックワイヤー１５よりも後方の位置に、ピン状の支点７ｃを介して回動自在に支持されている。また、基部７ａとウィッペン６の間には、ジャックスプリング２１が取り付けられている。このジャックスプリング２１は、コイルばねで構成され、押鍵時に、後述するようにジャック７を付勢するためのものである。
【００１８】
また、ジャックの基部７ａの上方には、レギュレティングボタン２２が設けられている。このレギュレティングボタン２２は、センターレール１１に設けられた複数のレギュレティングブラケット２３と、その前端部に取り付けられ、左右方向に延びるレギュレティングレール２４とを介して、鍵４ごとに設けられている（１つのみ図示）。
【００１９】
ハンマー支持体８は、例えばＡＢＳ樹脂などの合成樹脂の成形品で構成されており、バット２５、キャッチャーシャンク２６およびキャッチャー２７を一体に有している。
【００２０】
バット２５は、その下端部において、センターレール１１にねじ止めされたバットフレンジ１４の上端部に、ピン状の支点８ａを介して回動自在に支持されている。バットフレンジ１４の上端部には、バットフレンジコード１４ａが取り付けられている。バット２５の背面上端部には、バットスプリング２５ａが取り付けられている。バットスプリング２５ａは、線材で構成されていて、その下端部がバットフレンジコード１４ａに引っ掛かった状態で係合しており、それにより、バット２５を時計方向に付勢している。また、バット２５の下面前端部には、例えば鹿皮で構成されたバットスキン２５ｂが貼り付けられており、離鍵状態では、このバットスキン２５ｂに、ジャック７のバット突上げ部７ｂが係合している。
【００２１】
バット２５には、ハンマー２が取り付けられている。ハンマー２は、バット２５から上方に延びるハンマーシャンク３１と、ハンマーシャンク３１の上端部に取り付けられたハンマーヘッド３２で構成されている。このハンマーヘッド３２は、後方に鉛直に張られた弦Ｓに対向している。
【００２２】
キャッチャーシャンク２６は、バット２５から前方に延びており、図２に示すように、断面円形の棒状に形成されている。
【００２３】
キャッチャー２７は、キャッチャーシャンク２６の前端部に設けられており、前方のバックチェック１７に対向している。また、図２に示すように、キャッチャー２７は、ブロック状に形成されており、その背面には、キャッチャーシャンク２６よりも下方の位置に、ブライドルテープ挿入穴３３が形成されている。ブライドルテープ挿入穴３３は、左右方向に細長く延びるスリット状のものである。また、キャッチャー２７の上面には、上下方向に延びる直方体状の取付部材挿入穴３４が形成されており、ブライドルテープ挿入穴３３に連通している。これらのブライドルテープ挿入穴３３および取付部材挿入穴３４は、左右方向の幅が互いに等しく、また、取付部材挿入穴３４の底面３４ａは、ブライドルテープ挿入穴３３の底面と面一になっている（図３参照）。キャッチャー２７の前面には、例えば鹿皮で構成されたキャッチャースキン３５が貼り付けられている。
【００２４】
ハンマー支持体８のキャッチャー２７には、取付部材３７によってブライドルテープ３６が取り付けられている。ブライドルテープ３６は、例えば綿を織った布で構成され、可撓性を有している。取付部材３７は、ハンマー支持体８を構成する合成樹脂よりも大きな比重を有する金属、例えばタングステンで構成されており、取付部材挿入穴３４とほぼ同じサイズの直方体状に形成されている。
【００２５】
図３に示すように、ブライドルテープ３６の一端部は、ブライドルテープ挿入穴３３に前方から挿入されていて、取付部材挿入穴３４にぴったり嵌め込まれた取付部材３７と取付部材挿入穴３４の底面３４ａとの間に挟持され、接着されることによって、キャッチャー２７に取り付けられている。一方、ブライドルテープ３６の他端部は、前述したブライドルワイヤー１６の先端部に、ブライドルテープ３６の長さを調整可能に取り付けられている。
【００２６】
ハンマー支持体８の後方には、ダンパー４１が鍵４ごとに回動自在に設けられている（１つのみ図示）。ダンパー４１は、鍵４の押鍵および離鍵に伴って弦Ｓに離接することによって、ハンマー２で打弦された弦Ｓの振動による発音を許容および停止するためのものである。
【００２７】
次に、上述したアクション１の動作について説明する。図１の離鍵状態から鍵４が押鍵されると、鍵４はバランスピン５ａを中心に時計方向に回動し、その後端部に載置されたウィッペン６が、鍵４によって突き上げられることにより、上方（反時計方向）に回動する。このウィッペン６の回動に伴い、ウィッペン６に設けられたジャック７、バックチェック１７およびブライドルワイヤー１６などが一緒に上方に移動し、バット２５がジャック７のバット突上げ部７ｂで突き上げられることによって、ハンマー２が、後方の弦Ｓに向かって反時計方向に回動する。このとき、ハンマー支持体８の支点８ａ回りのモーメントに応じた反力が、タッチ重さとして演奏者に付与される。
【００２８】
ウィッペン６が所定の角度、回動したときに、ジャック７の基部７ａがレギュレティングボタン２２に当接する。ウィッペン６がさらに回動するのに伴い、ジャック７は、上方への移動がレギュレティングボタン２２によって規制されることにより、ウィッペン６に対して時計方向に回動する。これにより、ジャック７のバット突上げ部７ｂがバット２５から前方に外れる（レットオフ）。このレットオフにより、鍵４のタッチ重さからハンマー支持体８の重量分が失われることによって、タッチ重さが急激に低下し、演奏者にレットオフ感が付与される。
【００２９】
一方、ハンマー２は、ジャック７の離脱後においても、慣性によって回動し続け、弦Ｓを打弦し、これを振動させることによって、演奏音を発生させる。その後、ハンマー２およびハンマー支持体８は、バットスプリング２５ａの付勢力およびブライドルテープ３６による引き戻し力によって、時計方向に復帰回動し、キャッチャー２７がバックチェック１７に当接することにより、一旦、停止する。
【００３０】
鍵４が離鍵されると、鍵４およびウィッペン６は、押鍵時とは逆方向にそれぞれ回動する。また、ウィッペン６の復帰に伴い、バックチェック１７がキャッチャー２７から離れることにより、ハンマー２が、バットスプリング２５ａの付勢力およびブライドルテープ３６の引き戻し力によって時計方向に回動し、それにより、ハンマーシャンク３１がハンマーレール１２に当接するとともに、バット２５がジャック７のバット突上げ部７ｂに係合し、ハンマー２が離鍵状態に復帰する。
【００３１】
以上のように、本実施形態によれば、ブライドルテープ３６の一端部は、ハンマー支持体８のキャッチャー２７の背面のブライドルテープ挿入穴３３に挿入されていて、キャッチャー２７の取付部材挿入穴３４に嵌め込まれた取付部材３７と取付部材挿入穴３４の底面３４ａとの間で挟持されるとともに、接着されることによって、ハンマー支持体８に取り付けられている。このように、ハンマー支持体８が、バット２５、キャッチャーシャンク２６およびキャッチャー２７の一体成形品で構成されている場合でも、ブライドルテープ３６をハンマー支持体８にしっかりと取り付けることができる。したがって、ブライドルテープ３６がハンマー支持体８に対してずれたり、外れたりするのを、防止することができる。  
【００３２】
また、ブライドルテープ３６をブライドルテープ挿入穴３３に挿入し、取付部材３７を取付部材挿入穴３４に嵌め込むだけで、ブライドルテープ３６をハンマー支持体８に取り付けることができるので、その取付作業が容易である。
【００３３】
また、ブライドルワイヤー１６側において、ブライドルテープ３６の取付長さを調整することによって、ブライドルテープ３６によるハンマー２の引き戻し力を容易に調整することができる。
【００３４】
さらに、取付部材３７がハンマー支持体８を構成する合成樹脂よりも大きな比重を有するタングステンで構成されているため、取付部材３７を錘として兼用することができる。これにより、キャッチャー２７に取付部材３７の重さが付与され、ハンマー支持体８の支点８ａ回りのモーメントが増大するので、バット２５の回動の途中でジャック７が離脱する際のレットオフ荷重が増大することによって、レットオフ感を向上させることができる。また、錘を取り付けるための別個のスペースが不要であるので、アクション１をコンパクトに構成することができる。
【００３５】
図４は、ブライドルテープの取付構造の変形例を示している。なお、実施形態と同じ構成の部分については、同じ符号を付している。このハンマー支持体５１は、例えばＡＢＳ樹脂などの合成樹脂の成形品で構成されており、そのキャッチャー５２の上面には、実施形態の取付部材挿入穴３４に代えて、ブライドルテープ挿入穴３３に連通するねじ穴５３（取付部材挿入穴）が形成されている。このねじ穴５３には、ねじ５４（取付部材）がねじ込まれており、このねじ５４は、例えばタングステンで構成されている。また、ブライドルテープ３６の一端部は、ブライドルテープ挿入穴３３に挿入されるとともに、ねじ穴５３にねじ込まれたねじ５４とねじ穴５３の底面５３ａとの間に挟持されている。したがって、実施形態と同様の効果を得ることができるとともに、ねじ５４を強く締め付けることによって、ブライドルテープ３６の挟持をより確実に行うことができる。なお、ねじ５４の緩みを防止するために、接着を併用してもよい。
【００３６】
なお、本発明は、説明した実施形態に限定されることなく、種々の態様で実施することができる。実施形態では、バット２５、キャッチャーシャンク２６およびキャッチャー２７を一体成形しているが、キャッチャーシャンクおよびキャッチャーを一体成形したキャッチャー部品に、これとは別個のバットを取り付けてもよい。また、取付部材挿入穴３４をキャッチャー２７の上面に形成したが、下面に形成してもよい。なお、取付部材挿入穴３４をキャッチャー２７の上面に形成した方が、取付部材３７が取付部材挿入穴３４の底面３４ａに支持されることで、キャッチャー２７に対してずれにくく、抜けにくいので、有利である。
【００３７】
また、取付部材３７をタングステンなどの金属で構成したが、これに限らず、ハンマー支持体８を構成する合成樹脂よりも大きな比重を有する合成樹脂で構成してもよく、さらに、このような金属と合成樹脂を組み合わせたもので構成してもよい。また、ハンマー支持体８，５１を合成樹脂で構成したが、これに限らず、例えば木質材で構成してもよい。その他、本発明の趣旨の範囲内で、細部の構成を適宜、変更することが可能である。
【図面の簡単な説明】
【００３８】
【図１】アップライトピアノのハンマーおよびアクションなどを、離鍵状態において示す側面図である。
【図２】ブライドルテープの取付構造を示す斜視図である。
【図３】ブライドルテープをハンマー支持体に（ａ）取り付ける前および（ｂ）取り付けた後を示す側断面図である。
【図４】変形例によるブライドルテープの取付構造を示す側断面図である。
【図５】従来一般のアップライトピアノのアクションなどを示す側面図である。
【図６】従来一般のアップライトピアノのブライドルテープの取付構造を示す側断面図である。
【符号の説明】
【００３９】
７    ジャック
８    ハンマー支持体（キャッチャー部品）
２５    バット
２６    キャッチャーシャンク
２７    キャッチャー
３３    ブライドルテープ挿入穴
３４    取付部材挿入穴
３４ａ  底面
３６    ブライドルテープ
３７    取付部材
５１    ハンマー支持体（キャッチャー部品）
５２    キャッチャー
５３    ねじ穴（取付部材挿入穴）
５３ａ  底面
５４    ねじ（取付部材）
【図１】
2007218958.tif 000003
【図２】
2007218958.tif 000004
【図３】
2007218958.tif 000005
【図４】
2007218958.tif 000006
【図５】
2007218958.tif 000007
【図６】
2007218958.tif 000008